(57)【特許請求の範囲】
【請求項１】
一方の先端部が筒状且つ開口している本体を備え、
前記本体の先端部には前記本体の長手方向に沿って第１の切り欠き及び第２の切り欠きが形成されており、
前記第１の切り欠きは稲の苗株を挟んで保持する保持部として機能し、
前記本体の先端部の内部空間が前記苗株の根が収容される収容室として機能し、
前記第２の切り欠きは前記収容室に田の泥を侵入させる泥侵入部として機能する、
ことを特徴とする田植補助具。
【請求項２】
前記第１の切り欠きと前記第２の切り欠きの幅が異なる、
ことを特徴とする請求項１に記載の田植補助具。
【請求項３】
前記本体の長さが可変可能である、
ことを特徴とする請求項１又は２に記載の田植補助具。
【発明の詳細な説明】
【技術分野】
【０００１】
本発明は、田植補助具に関する。
【背景技術】
【０００２】
田植作業では田植機が普及し、ほとんどの田で利用されている。しかし、田植機による作業は機械的作業であるため、機械が苗をつかみ損ねて田植ができなかった箇所や、田の角など田植機では作業できない箇所が生じる。このように、田の全ての範囲に田植機で田植えを行うことは難しく、所謂アキ箇所が発生しやすい。生じたアキ箇所には、後々人の手で手植えが行われる。
【０００３】
手植えでは、作業者がアキ箇所まで行き、腰を曲げての作業となるため、重労働である。このような状況を踏まえ、手植えが容易に行えるよう、田植補助具が提案されている（特許文献１）。特許文献１の田植補助具は、ステッキの先端部に二股爪が突出したものである。この二股爪に苗株の根元を挟んだ状態で、アキ箇所に向けて差し込み、引き抜くことで、苗株を植えることができる。
【先行技術文献】
【特許文献】
【０００４】
【特許文献１】登録実用新案第３００７７１２号公報
【発明の概要】
【発明が解決しようとする課題】
【０００５】
田植機による田植えを行う際、事前に田に水を引き入れて代掻きを行い、苗を植えやすい状態にする必要がある。田植えにおいては、苗株の根を田の泥の中に押し込む必要があり、代掻き後の水田では泥がゆるいので、苗株の根は泥の中にすんなり入り込んでいく。
【０００６】
田植機で田植えをした後、時間の経過とともに田の泥が締まってゆき、苗株の根元を泥の中に押し込みにくくなってゆく。特許文献１の田植補助具は、太さ０．５ｃｍほどで先が尖鋭な棒状体である二股爪に苗株を挟持する構造ゆえ、泥が締まった状態の田では、二股爪は泥に刺さっていくものの、苗株の根元を泥の中に押し込み難いという課題がある。
【０００７】
本発明は、上記事項に鑑みてなされたものであり、その目的とするところは、田の泥が多少締まった状態でも田植えが可能な田植補助具を提供することにある。
【課題を解決するための手段】
【０００８】
本発明に係る田植補助具は、
一方の先端部が筒状且つ開口している本体を備え、
前記本体の先端部には前記本体の長手方向に沿って第１の切り欠き及び第２の切り欠きが形成されており、
前記第１の切り欠きは稲の苗株を挟んで保持する保持部として機能し、
前記本体の先端部の内部空間が前記苗株の根が収容される収容室として機能し、
前記第２の切り欠きは前記収容室に田の泥を侵入させる泥侵入部として機能する、
ことを特徴とする。
【０００９】
前記第１の切り欠きと前記第２の切り欠きの幅が異なっていてもよい。
【００１０】
前記本体の長さが可変可能であってもよい。
【発明の効果】
【００１１】
本発明に係る田植補助具では、田の泥が多少締まった状態でも田植えが可能である。
【図面の簡単な説明】
【００１２】
【図１】田植補助具の外観を示す斜視図である。
【図２】図２（Ａ）は、田植補助具の先端部を示す平面図、図２（Ｂ）は図２（Ａ）のＡ−Ａ’断面図である。
【図３】図３（Ａ）は、田植補助具の使用方法を説明する図、図３（Ｂ）は、図３（Ａ）のＡ−Ａ’断面図である。
【図４】図４（Ａ）は、田植補助具の使用方法を説明する図、図４（Ｂ）は、図４（Ａ）のＡ−Ａ’断面図である。
【図５】図５（Ａ）は、田植補助具の使用方法を説明する図、図５（Ｂ）は、図５（Ａ）のＡ−Ａ’断面図である。
【図６】図６（Ａ）は、田植補助具の使用方法を説明する図、図６（Ｂ）は、図６（Ａ）のＡ−Ａ’断面図である。
【図７】図７は、他の形態に係る田植補助具の斜視図である。
【図８】図８は、他の形態に係る田植補助具の先端部の断面図である。
【図９】図９（Ａ）、（Ｂ）、（Ｃ）は、他の形態に係る田植補助具の先端部の断面図である。
【発明を実施するための形態】
【００１３】
本実施の形態に係る田植補助具１は、図１、図２に示すように、一方の先端部が筒状、且つ、開口している本体１０を備える。本体１０の先端部には、対向する２つの切り欠き１１ａ、１１ｂが形成されている。切り欠き１１ａ、１１ｂは本体１０の長手方向に沿って形成されている。切り欠き１１ａ、１１ｂの幅（図２に示すＤ１、Ｄ２）は、例えば、５〜１０ｍｍ程度であり、長さは１０〜３０ｍｍ程度である。なお、本体１０の他方の先端部は、作業者が手に持つグリップとなる。
【００１４】
一方の切り欠き１１ａは、稲の苗株を挟持して保持する保持部として機能する。また、他方の切り欠き１１ｂは、田の泥を収容室１２に侵入させる泥侵入部として機能する。そして、切り欠き１１ｂを挟む本体１０の壁が泥掻き部として機能し、泥掻き部は泥を掻き分けて、苗株の根が配置される空間を作りだす。そして、切り欠き１１ａ、１１ｂを挟む本体１０の壁に囲まれた空間が苗株の根が収容される収容室１２として機能する。
【００１５】
この田植補助具１を使用して田植えを行う方法について説明する。まず、図３（Ａ）、（Ｂ）に示すように、稲の苗株の根が収容室１２に収容されるようにして、苗株を挟持して保持させる。
【００１６】
苗株を保持した後、図４（Ａ）、（Ｂ）に示すように、田植補助具１の先端部を田のアキ箇所の泥の中に押し込む。押し込むことにより先端部が泥を掻き分けてゆくとともに、泥が切り欠き１１ｂから収容室１２に入り込んでいく。
【００１７】
そして、図５（Ａ）、（Ｂ）に示すように、所定の深さまで、先端部を泥に押し込む。具体的には苗株の根の上部が２ｃｍ程度埋まるまで、即ち、切り欠き１１ａが２ｃｍ程度埋まるまで、押し込めばよい。田の泥の締まり具合によって収容室１２への泥の侵入速度が異なるので、泥の締まり具合に応じ、収容室１２の内部が十分に泥で満たされるまで適宜待つとよい。
【００１８】
その後、図６（Ａ）、（Ｂ）に示すように、田植補助具１を泥の中から引き抜く。田植補助具１を引き抜く際、田植補助具１の長手方向に直線的に引き抜くとよい。収容室１２内が泥で満たされていると、苗株の根が泥に埋まった状態になっているので、田植補助具１を引き抜けば保持されていた苗株は切り欠き１１ａから離脱する。このようにして苗株を植えることができる。
【００１９】
このように田植補助具１は、泥を掻き分けて苗株の根が泥の中に入るスペースを作り、そのスペースに苗株を配置することができるため、田植機による田植えが終わった後、多少泥が締まった状態であっても、苗株を植えることが可能である。
【００２０】
なお、本体１０の長さは、例えば、８０ｃｍ〜１２０ｃｍなど、適宜設定されればよい。また、本体１０は、状況に応じて適宜長さが変えられる形態であってもよい。例えば、図７に示すように、本体１０ａ、１０ｂが相互にスライドして伸縮可能な形態や、本体１０が複数本の継手式として長さが調節できる形態などが挙げられる。
【００２１】
また、本体１０の材質は、作業性及び泥の中への押し込みの安定性の観点から、軽量で物理的強度を備えていればよく、例えば、塩化ビニル等の樹脂のパイプであってもよい。塩化ビニル等の樹脂のパイプは十分な厚み（例えば、２〜３ｍｍ）があれば、機械的強度が保たれるとともに、軽量であるので作業性に優れる。また、塩化ビニル等の樹脂のパイプは安価で加工が容易なため、田植補助具１の製造コストも安くできる。なお、本体１０の材質に特に制限はなく、塩化ビニル以外の硬質の樹脂のほか、アルミニウム等の金属製であってもよい。
【００２２】
対向して形成されるそれぞれの切り欠き１１ａ、１１ｂの幅（図２（Ｂ）に示すＤ１、Ｄ２）は、異なっていてもよい。例えば、一方の切り欠き１１ａの幅を８ｍｍ、他方の切り欠き１１ｂの幅を１０ｍｍとし、苗株の太さや量に応じていずれかの切り欠き１１ａ又は切り欠き１１ｂが保持部として機能して苗株を保持することで、１本の田植用補助具１で適宜使い分けることができる。この場合、他方の切り欠き１１ｂ、１１ａが収容室１２への泥の侵入を促す泥侵入部として機能することになる。
【００２３】
また、切り欠き１１ａ、１１ｂは３つ以上形成されていてもよく、例えば、図８に示すように、４つの切り欠き１１ａ、１１ｂが形成されていてもよい。いずれか１つの切り欠き１１ａが保持部として機能し、他の３つの切り欠き１１ｂが泥侵入部として機能する形態であってもよい。
【００２４】
また、先端部の形状は、円形状のほか、例えば、図９（Ａ）、（Ｂ）、（Ｃ）に示すように、３角形や４角形、６角形などの多角形状など、上述した機能を果たす限り種々の形状であってもよい。なお、泥を掻き分ける機能が損なわれないよう、泥掻き部が湾曲状やテーパー状等、切り欠き１１ｂから切り欠き１１ａの方に向けて広がっている形状であるとよい。
【符号の説明】
【００２５】
１    田植補助具
１０    本体
１０ａ  本体
１０ｂ  本体
１１ａ  切り欠き（保持部）
１１ｂ  切り欠き（泥侵入部）
１２    収容室
【要約】
【課題】田の泥が多少締まった状態でも田植えが可能な田植補助具を提供する。
【解決手段】田植補助具１は、一方の先端部が筒状且つ開口している本体１０を備え、本体１０の先端部には本体１０の長手方向に沿って第１の切り欠き１１ａ及び第２の切り欠き１１ｂが形成されており、第１の切り欠き１１ａは稲の苗株を挟んで保持する保持部として機能し、本体１０の先端部の内部空間が苗株の根が収容される収容室１２として機能し、第２の切り欠き１１ｂは収容室１２に田の泥を侵入させる泥侵入部として機能する。
【選択図】図１【図１】
0006671535.tif 000002
【図２】
0006671535.tif 000003
【図３】
0006671535.tif 000004
【図４】
0006671535.tif 000005
【図５】
0006671535.tif 000006
【図６】
0006671535.tif 000007
【図７】
0006671535.tif 000008
【図８】
0006671535.tif 000009
【図９】
0006671535.tif 000010